(57)【要約】【課題】  特に親鍵を磨り減らさずに、高精度に複数の子鍵を複製することができる合鍵複製機に使用する深さ調整装置に関するものである。【解決手段】  上面に凹部が形成され、該凹部にバネ及びボールが収容され、バネによりボールの一部を該凹部の開口から突出するベースと、前記ベースに回転可能に取り付けられ、外周面に深さが異なる複数の調整孔が形成され、底面周縁に、前記ボールが対応するように係合する複数の位置決め溝が間隔をおいて形成される調整プレートと、を有するものである。【選択図】  図１
0003178437.tif 000002
【実用新案登録請求の範囲】
【請求項１】
上面に凹部が形成され、該凹部にバネ及びボールが収容され、該バネによりボールの一部を該凹部の開口から突出するベースと、
前記ベースに回転可能に取り付けられ、外周面に深さが異なる複数の調整孔が形成され、底面周縁に、前記ボールが対応するように係合する複数の位置決め溝が間隔をおいて形成される調整プレートと、を有することを特徴とする合鍵複製機に使用する深さ調整装置。
【請求項２】
前記調整プレートは、円柱を有し、該円柱の外周面に前記複数の調整孔が形成されると共に、上段に上段リングが環設され、該上段リングの上面周縁に該調整孔と対応するように複数の符号が間隔をおいて付され、下段に下段リングが環設され、該下段リングの底面周縁に前記複数の位置決め溝が形成されることを特徴とする請求項１に記載の合鍵複製機に使用する深さ調整装置。
【請求項３】
前記ベースは、上面に円形凹部が凹設され、該円形凹部の中央に貫通孔が形成され、
前記調整プレートは、円柱の下端に円形凹部と対応する底円盤が凸設され、該底円盤の底面中央に貫通孔と対応するネジ孔が形成され、ボルトが該ベースの貫通孔を貫通して該ネジ孔に螺合されることを特徴とする請求項２に記載の合鍵複製機に使用する深さ調整装置。
【請求項４】
前記調整プレートの上端に挟持具取っ手が設置されることを特徴とする請求項１乃至３の何れか１項に記載の合鍵複製機に使用する深さ調整装置。
【請求項５】
前記調整プレートは、５つの調整孔及び５つの符号を備え、それら符号はそれぞれ、位置する調整孔の深さの浅い順に０、１、２、３、４の数字が付されていることを特徴とする請求項１乃至４の何れか１項に記載の合鍵複製機に使用する深さ調整装置。
【考案の詳細な説明】
【技術分野】
【０００１】
本考案は、特に高精度に複数の合鍵を複製することができる合鍵複製機に使用する深さ調整装置に関するものである。
【背景技術】
【０００２】
従来の合鍵複製機は主に、本体と、ピンと、カッターと、本体と同期に移動する２つの挟持具とを備えるものであり、合鍵を複製する時には、一方の挟持具に親鍵を挟持固定すると共に、他方の挟持具に子鍵を挟持固定し、ピンが親鍵のキー部に当接するように、カッターにより親鍵のキー部の形状に基づいて子鍵を切削し、子鍵を親鍵のキー部と同様に複製する。
【考案の概要】
【考案が解決しようとする課題】
【０００３】
しかしながら、従来の合鍵複製機においては、親鍵と子鍵との間に誤差が発生する場合が多く、これは、合鍵複製器自身の問題や、マシンを操作する鍵師による人為的な問題であり、また、合鍵を複製する時には、ピンを親鍵のキー部に当接させながら子鍵を切削するので、親鍵のキー部が磨り減ってり、傷が付いたりするおそれもあった。
【０００４】
故に、その複製された子鍵から孫鍵を複製する場合には、その誤差が更に大きくなる虞があり、また、多数の鍵を複製したい場合に、誤差を有する鍵から何度も複製を行なうと、最初の親鍵と相当の誤差が生じてしまい、解錠できなくなる虞があった。
【課題を解決するための手段】
【０００５】
本考案に係る合鍵用の深さ調整装置は、上面に凹部が形成され、該凹部にバネ及びボールが収容され、該バネによりボールの一部を該凹部の開口から突出するベースと、前記ベースに回転可能に取り付けられ、外周面に深さが異なる複数の調整孔が形成され、底面周縁に、前記ボールが対応するように係合する複数の位置決め溝が間隔をおいて形成される調整プレートと、を有するものである。
【０００６】
また、かかる合鍵用の深さ調整装置において、前記調整プレートは、円柱を有し、該円柱の外周面に前記複数の調整孔が形成されると共に、上段に上段リングが環設され、該上段リングの上面周縁に該調整孔と対応するように複数の符号が間隔をおいて付され、下段に下段リングが環設され、該下段リングの底面周縁に前記複数の位置決め溝が形成されることが好ましい。
【０００７】
また、かかる合鍵用の深さ調整装置において、前記ベースは、上面に円形凹部が凹設され、該円形凹部の中央に貫通孔が形成され、前記調整プレートは、円柱の下端に円形凹部と対応する底円盤が凸設され、該底円盤の底面中央に貫通孔と対応するネジ孔が形成され、ボルトが該ベースの貫通孔を貫通して該ネジ孔に螺合されることが好ましい。
【０００８】
また、かかる合鍵用の深さ調整装置において、前記調整プレートの上端に挟持具取っ手が設置されることが好ましい。
【０００９】
前記調整プレートは、５つの調整孔及び５つの符号を備え、それら符号はそれぞれ、位置する調整孔の深さの浅い順に０、１、２、３、４の数字が付されていることが好ましい。
【考案の効果】
【００１０】
本考案は上記の構成を有することから、合鍵を複製する時、鍵師は、親鍵の切込部の深さによって、調整プレートを回転して適当な調整孔を選んでから、子鍵の所望の切削箇所を精密に切削できることから、親鍵を合鍵複製機に挟持し、ピンを親鍵の切込部に当接しながら子鍵を削る必要がなく、親鍵の切込部を磨り減らしたり、傷を付けることがないので、親鍵を用いずに何度でも合鍵を精密に複製することができる。
【図面の簡単な説明】
【００１１】
【図１】本考案に係る合鍵複製機に使用する深さ調整装置の斜視図である。
【図２】本考案に係る合鍵複製機に使用する深さ調整装置の部分分解斜視図である。
【図３】本考案に係る合鍵複製機に使用する深さ調整装置の平面図である。
【図４】本考案に係る合鍵複製機に使用する深さ調整装置を合鍵複製機に設置した状態を示す斜視図である。
【図５】本考案に係る合鍵複製機に使用する深さ調整装置を合鍵複製機に設置した状態を示す平面図である。
【図６】本考案に係る合鍵複製機に使用する深さ調整装置を合鍵複製機に設置した状態を示す側面図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１乃至図３に示すように、本考案に係る合鍵複製機に使用する深さ調整装置は、ベース１０及び調整プレート２０を有し、その内、該ベース１０は、細長状の矩形プレートであり、一端の近傍上面に円形凹部１１が凹設され、該円形凹部１１の中央に貫通孔１２が形成されると共に、一端の隅部上面に位置決め部材が設置され、その位置決め部材は、ベース１０の上面に凹部（図示せず）が形成され、該凹部の上部により狭い開口が形成され、該凹部の内部にバネ及びボール１３（図示せず）が内設され、該バネがボール１３に当接され、バネの付勢力によりボール１３の一部を該凹部の開口から突出させる。
【００１４】
前記調整プレート２０は、前記ベース１０の円形凹部１１に回転可能に取り付けられ、円柱２１と、該円柱２１の上段に環設される上段リング２２と、該円柱２１の下段に環設される下段リング２３とを有し、該円柱２１は、その中段の外周面に深さが異なる複数の調整孔２１１が形成されると共に、上端にキャップ２１２が凸設され、該キャップ２１２の外周面に挟持具取っ手２１３が径方向に延設され、下端に前記円形凹部１１と対応する底円盤２１４が凸設され、該底円盤２１４の底面に前記貫通孔１２と対応するネジ孔２１５が形成され、ボルト２１６が該貫通孔１２を貫通して該ネジ孔２１５に螺合される。
【００１５】
前記上段リング２２は、その上面周縁に、該調整孔２１１の深さを数値化にした、円筒孔２１１と対応する複数の符号２２１が所定の間隔で付され、前記下段リング２３の底面周縁に複数の位置決め溝２３１が所定の間隔で形成され、該各位置決め溝２３１の間隔は、該各符号２２１の間隔と同一である。
【００１６】
図３に示すように、この構成によれば、前記調整プレート２０をベース１０に取り付ける時、それら調整孔２１１のいずれか１つがベース１０の長手方向Ｌと同軸上に位置すると、位置決め部材のボール１３が、対応する位置決め溝２３１に係合され、調整プレート２０を位置決めてベース１０に対して非回転状態となる。
【００１７】
本実施例においては、調整プレート２０に５つの調整孔２１１及び５つの符号２２１が設けられ、それら符号２２１はそれぞれ、位置する調整孔２１１の深さの浅い順に０、１、２、３、４などの数字が付され、数字が大きいほど、対応するより深い調整孔２１１が位置されることになる。
【００１８】
図４乃至図６に示すように、本考案に係る合鍵複製機に使用する深さ調整装置を使用する時は、まず、ベース１０を移動可能に、該ベース１０における、調整プレート２０と反対する端に取り付けられるカギ挟持具３１と、該調整プレート２０の近傍に設置されるピン３２と、該カギ挟持具３１の近傍に設置されるカッター３３とを備える合鍵複製機３０に設置する。
【００１９】
そして、先ず合鍵を作成する前に、予め親鍵の切込部を調整プレート２０の調整孔２１１と対照して、対応する各切込部の深さを符号２２１の数値と覚えておく。その後、子鍵４０をカギ挟持具３１により挟持固定し、子鍵４０の切削箇所がカッター３３と対応するように、ベース１０を所定の方向（図５の矢方向）へ移動させ、つぎに、調整プレート２０を回転させて、予め覚えておいた数値の符号２２１をピン３２に合わせて対応する調整孔２１１を選ぶ。
【００２０】
なお、上述した構成によれば、前記調整プレート２０を回転させて調整孔２１１を選んで設定する時、ボール１３が位置決め溝２３１から脱出して他の位置決め溝２３１に係合することによって、調整プレート２０を所定の番号に位置決めることができる。
【００２１】
その後、ベース１０を前後方向（図６の矢印方向）に移動させ、ピン３２を調整プレート２０の調整孔２１１に挿入させながらカッター３３で子鍵４０を親鍵の切込部と同じの深さに削れば、子鍵４０を親鍵と同じように複製することができる。また、前記符号２１１は、調整孔２１１の深さを数字で表示していることから、鍵師は、合鍵を複製する時、一目で所望の調整孔２１１を選ぶことができるので、操作上の利便性を向上させることができる。
【００２２】
このように、本考案に係る合鍵複製機に使用する深さ調整装置を用いて合鍵を複製する時は、親鍵を合鍵複製機３０に挟持固定してピン３２を親鍵の切込部に当接させながら子鍵を削る必要はなく、親鍵が磨り減ることもないので、親鍵の切込部の深さによって、調整プレート２０を回転させて適当な調整孔２１１を選び、子鍵の所望の切削箇所に親鍵と同じ切込部を入れて複製することができる。故に、本考案を用いれば、子鍵を何度複製しても親鍵が磨り減ることはないので、高精度で合鍵の複製を作ることができる。
【産業上の利用可能性】
【００２３】
本考案は上記の構成を有することから、合鍵を複製する時、鍵師は、親鍵の切込部の深さによって、調整プレートを回転させて適当な調整孔を選び、子鍵の所望の箇所を切削することができることから、親鍵を合鍵複製機に挟持してピンを親鍵の切込部に当接させながら子鍵を削る必要がなく、親鍵の切込部が磨り減ることもないので、親鍵を用いずに、何度でも合鍵を高精度で複製することができる。
【符号の説明】
【００２４】
１０          ベース
１１          円形凹部
１２          貫通孔
１３          ボール
２０          調整プレート
２１          円柱
２１１        調整孔
２１２        キャップ
２１３        挟持具取っ手
２１４        底円盤
２１５        ネジ孔
２１６        ボルト
２２          上段リング
２２１        符号
２３          下段リング
２３１        位置決め溝
３０          合鍵複製機
３１          カギ挟持具
３２          ピン
３３          カッター
４０          子鍵
【図１】
0003178437.tif 000003
【図２】
0003178437.tif 000004
【図３】
0003178437.tif 000005
【図４】
0003178437.tif 000006
【図５】
0003178437.tif 000007
【図６】
0003178437.tif 000008